(57)【要約】【課題】既存の印刷文書に署名、ロゴ、著作権マーク等を印刷する際に、下地の印刷内容の色に紛れてしまわないように、色や印刷位置大きさを自動的に選択して印刷する。【解決手段】色検知手段により検知した色と印刷すべき色との比較手段をもち、比較した結果、同系統の色と判断した場合は印刷対象データの色、位置、大きさを予め決められた指示に基づいて選択して印刷する。【選択図】        図１
2004188714.tif 000002
【特許請求の範囲】
【請求項１】
文字・図形・画像を印刷する印刷手段、用紙をスキャンするスキャン手段、色を検知する色検知手段、色を比較する色比較手段、色を変更する色変更手段を有する事を特徴とするスキャナー付きプリンター。
【請求項２】
印刷位置を探索する印刷位置探索手段、印刷位置を変更する印刷位置変更手段を有する事を特徴とする請求項１記載のスキャナー付きプリンター。
【請求項３】
文字・図形・画像を縮小する縮小手段を有する事を特徴とする請求項２記載のスキャナー付きプリンター。
【請求項４】
上記色変更手段、印刷位置変更手段、縮小手段のいずれかの手段を選択する選択手段を有する事を特徴とする請求項３記載のスキャナー付きプリンター。
【請求項５】
上記手段のいずれかを実行しても印刷不可能な場合には警告を発する警告手段を有する事を特徴とする請求項４記載のスキャナー付きプリンター。
【発明の詳細な説明】
【０００１】
【発明の属する技術分野】
本発明はスキャナー機能の付いたプリンターに関する物である。
【０００２】
【従来の技術】
従来のワープロやパソコン等に接続されるプリンターは白紙に印刷する事を前提としていた。しかしながら、既に印刷された用紙に対しても商標やサインや会社のロゴ、或は写真や版画等の芸術作品に著作権を示すマーク等を印刷する場合もある。このような場合、印刷する文字や画像は用紙に比して小さい面積を占有するに留まるが、既に印刷されている領域と同系統の色であれば、明確に印刷結果が見えないという事になる。これを避ける為、予め用紙におけるロゴ等の印刷位置を選択しておくか、色を目立つ様に設定しておく必要があった。しかしながら、様々な印刷物を混在して印刷するような場合、その都度設定するのは非常に煩雑であった。
【０００３】
【発明が解決しようとする課題】
本発明では、上述した欠点を解消し、印刷対象の用紙における印刷位置の色を検知して、印刷すべく文字や画像の色を変更するようにし、あるいは、印刷位置を変更する様にし、あるいは又、印刷対象文字や図形の大きさを変更する様にして、印刷すべき文字や画像が目立つ様にしようというものである。その為に、操作の煩雑さを解消する事を可能とする。
【０００４】
【課題を解決するための手段】
上記目的を達成する為に、本発明のスキャナー付きプリンターは画像  文字・図形・画像を印刷する印刷手段、用紙をスキャンするスキャン手段、色を検知する色検知手段、色を比較する色比較手段、色を変更する色変更手段を有する事を特徴とする。
【０００５】
印刷位置を探索する印刷位置探索手段、印刷位置を変更する印刷位置変更手段を有する事を特徴とする。
【０００６】
文字・図形・画像を縮小する縮小手段を有する事を特徴とする。  上記色変更手段、印刷位置変更手段、縮小手段のいずれかの手段を選択する選択手段を有する事を特徴とする。
【０００７】
上記手段のいずれかを実行しても印刷不可能な場合には警告を発する警告手段を有する事を特徴とする。
【０００８】
【発明の実施の形態】
以下、本発明の実施の形態を図面に基づいて詳細に説明する。
【０００９】
（概要）
まず、本提案が解決すべく問題点の概要について述べる。
【００１０】
そもそも、図１（１）に示したような山の写真があるとする。この写真に右下にあるようなロゴ（１０１）を印刷する必要が生じた場合、ロゴの印刷位置が黒くなっている場合、ロゴを黒で印字しても背景に埋もれてはっきり見えないという状況が生ずる。それを避ける為には、図１（２）に示した様にロゴ（１０２）の位置を明るい色の位置に移せば良い。このように、ロゴを印刷用紙の色を検知して位置を自動的にずらす様にするのが本提案の主旨である。
【００１１】
しかし、ロゴの位置をずらしたく無い場合もある。そのような場合はロゴの印刷色を背景と異なる色にしてもよい。
【００１２】
あるいは、ロゴの位置も色も変えたく無い場合は、ロゴの大きさを小さくする事で実現出来る場合はその方策を取ることも出来る。例えば図３（１）は文字を書いた文書であるが、末尾にロゴ（３０１）を印刷すると、文字に重なる場合、図３（２）に示した様にロゴ（３０２）を小さく印刷すれば余白に収まり、文字には重ならない。
【００１３】
又、ロゴに限らずサインでも著作権のマーク、商品管理用のバーコードも同様に扱うことが出来る。本提案ではこのように下地の色と印刷文字や画像が同系統の場合、それを避ける事を目的とする。  （ブロック図）
図２に示したのは本発明に係る、スキャナー付きプリンターのブロック図である。
【００１４】
２０１ＣＰＵは中央処理装置で、後述する各種デバイスの制御や演算を行なう。
【００１５】
２０２ＫＥＹは本装置に指示をさせる為のキースイッチであり、詳細は後述する。
【００１６】
２０３ＤＩＳＰは表示器であり、警告を表示したり、本装置の動作状況を表示する。
【００１７】
２０４ＲＥＡＤはスキャナーであり、印刷用紙の色等を読取る。  ２０５ＰＲＮＴはプリンターであり、ロゴやサインや商標等の印刷を行なう。
【００１８】
２０６ＲＯＭは本装置を動作させる為のプログラムを格納するリードオンリメモリである。
【００１９】
２０７ＲＡＭは演算や情報の一時的記憶に利するワークエリアや印刷すべき画像や文字情報を持つランダムアクセスメモリである。
【００２０】
２０８ＢＬは以上のデバイスを結んで情報のやりとりを実行する為のバスラインである。
【００２１】
（外観とキー群）
図４は本装置の外観である。４０１が本体で、４０２が表示器、４０３がキー群、４０４が読み込む用紙、４０５が印刷された用紙である。
【００２２】
キー群の詳細の一部を図８に示したが、８０１は印刷実行の為のキーである。
【００２３】
８０２はロゴを決められた位置に決められた色、大きさで印刷する事を指示する為のキーである。
【００２４】
８０３はロゴの位置が背景の色に解け込み目立たなくなる場合、位置を変更せよと指示する為のキーである。
【００２５】
８０４は同じく、ロゴの色を変更せよと指示する為のキーである。
【００２６】
８０５は同じく、ロゴの大きさを変更せよと指示する為のキーである。
【００２７】
（動作処理）
本装置の動作処理例を、図５〜図７のフローチャートを参照して説明する。本動作のプログラムはＲＯＭに格納されている。
【００２８】
本処理は印刷キーが操作され印刷を開始しようという時点から始まる。
【００２９】
最初に前述したキーの内、「固定」、「位置」、「色」、「大小」のキーの判別を行なう。尚、これら４つのキーの内いずれかが操作されるまで、先へは進まない（ステップＳ５０１）。
【００３０】
キーによる判別の結果４つのルートに分岐する。
【００３１】
「固定」キーの場合は図６の印刷処理（ステップＳ６０８）に一気に飛ぶ。即ち、位置も色も大きさも変更することなく一律に印刷する訳で、途中のスキャンした結果の判断は関係ない。
【００３２】
「位置」きーの場合はＲＡＭのワークのモードＭＯＤＥに１をセットする（ステップＳ５０２）。
【００３３】
同様に「色」、「大小」キーの場合は各々２、３をセットする（ステップＳ５０３、５０４）。
【００３４】
次に、用紙をスキャンする。スキャンした結果はＲＡＭのワーク確保する（ステップＳ５０５）。
【００３５】
さらに前項でスキャンした結果からロゴの印刷位置の用紙の色と印刷しようとしているロゴの色の比較を行なう（ステップＳ５０６）。
【００３６】
その比較でロゴが見分けられるか否か判別する。この判別には色コードの差や、色の明暗等を勘案して差の閾値を予め決めておき、その結果で判別する（ステップＳ６０１）。
【００３７】
見分けられると判断した場合は直接印刷処理（ステップＳ６０８）に飛び印刷処理を行なう。
【００３８】
しかし、見分けられないと判断した場合は先ほどのモードＭＯＤＥを判別して３通りに分岐する（ステップＳ６０２）。
【００３９】
即ちモードが１の場合は位置を変えても良いのであるが、変更する先はどこでも良いというのでは無く、やはり４隅のいずれかに限定する。そのいずれかの位置に印刷してもロゴが見分けられるか否か即ち位置変更が可能か否か判別する（ステップＳ６０３）。
【００４０】
もし、見分け可能な位置が見つかれば、ロゴの印刷位置を変更し（ステップＳ６０４）、実際の印刷処理（ステップＳ６０８）に進む。しかし、４隅のいずれもが印刷に不適当である場合は、表示器に警告表示する処理（ステップＳ７０１）に進む。この場合は印刷処理はされない。
【００４１】
モードの判別に戻って、モードが２の場合、ロゴの色を変更し、背景と見分けが付く様にする処理を行なう（ステップＳ６０５）。
【００４２】
更に、モードが３の場合は、ロゴの大きさを変えても良いのであるが、仮に縮小してもその場に収まって、背景から見分けることが出来るか否か判別する（ステップＳ６０６）。
【００４３】
もし、見分け可能であれば、ロゴを縮小し（ステップＳ６０７）、実際の印刷処理（ステップＳ６０８）に進む。しかし、一定の大きさの限度は定めておくとして、その大きさにまで縮小しても印刷に不適当である場合は、表示器に警告表示する処理（ステップＳ７０１）に進む。この場合も印刷処理はされない。
【００４４】
以上が本装置の動作処理である。
【００４５】
（その他の実施例）
上述した実施例では、警告を表示器に表示させる様にしたが、スピーカーを付けて、音声にて警告させる様にしても良い。
【００４６】
又、警告が発せられる時は印刷しない様にしたが、強制的に印刷させる様にしても良い。
【００４７】
【発明の効果】
以上説明した通り、本提案によれば、印刷対象の用紙における印刷位置の色を検知して、印刷すべく文字や画像の色を変更するようにし、あるいは、印刷位置を変更する様にし、あるいは又、印刷対象文字や図形の大きさを変更する様にして、印刷すべき文字や画像が目立つ様に自動的に印刷出来る様になった。
【図面の簡単な説明】
【図１】印刷の例。
【図２】本プリンタのブロック図。
【図３】印刷の例。
【図４】本プリンタの外観図。
【図５】処理のフローチャート。
【図６】処理のフローチャート。
【図７】処理のフローチャート。
【図８】本プリンタ付属のキーボード図。
【図１】
2004188714.tif 000003
【図２】
2004188714.tif 000004
【図３】
2004188714.tif 000005
【図４】
2004188714.tif 000006
【図５】
2004188714.tif 000007
【図６】
2004188714.tif 000008
【図７】
2004188714.tif 000009
【図８】
2004188714.tif 000010